(57)【要約】【課題】アクションカム等の好適な対角で１４０度以上の広画角を有しつつレンズ系全体の小型化を図りつつ良好な収差補正がなされたレンズの提供すること。【解決手段】物体側より負の第１レンズ、正の第２レンズ、正の第３レンズ又は負、正を接合した第３レンズユニット、負の４若しくは５レンズの４乃至５枚構成のレンズにおいて、２枚ある正レンズのうち像側の正レンズに高屈折率低分散の材料を使用すると共に以下の条件式を満足することを特徴とする単焦点レンズ。式１・・１．１＜ｆ３Ｐ／ｆ＜１．７、式２・・ｎ３Ｐ＞−０．００７３×ν３Ｐ＋２．１１、式３・・１．５＜ｎ３ｐ＜１．８５、式４・・６５＜ν３Ｐ＜９７。ｆ３Ｐ；第３レンズ若しくは第３レンズユニットを構成する正レンズの焦点距離、ｆ；全系の焦点距離、ｎ３Ｐ；第３レンズ若しくは第３レンズユニットを構成する正レンズの屈折率、ν３Ｐ；第３レンズ若しくは第３レンズユニットを構成する正レンズのアッベ数【選択図】図１
2018189867.tif 000002
【特許請求の範囲】
【請求項１】
物体側より負の第１レンズ、正の第２レンズ、正の第３レンズ又は負、正を接合した第３レンズユニット、負の４若しくは５レンズの４乃至５枚構成のレンズにおいて、２枚ある正レンズのうち像側の正レンズに高屈折率低分散の材料を使用すると共に以下の条件式を満足することを特徴とする単焦点レンズ。
１．１＜ｆ３Ｐ／ｆ＜１．７・・・・（１）
ｎ３Ｐ＞−０．００７３×ν３Ｐ＋２．１１・・・・（２）
１．５＜ｎ３ｐ＜１．８５・・・・（３）
６５＜ν３Ｐ＜９７・・・・（４）
ｆ３Ｐ；第３レンズ若しくは第３レンズユニットを構成する正レンズの焦点距離
ｆ；全系の焦点距離
ｎ３Ｐ；第３レンズ若しくは第３レンズユニットを構成する正レンズの屈折率
ν３Ｐ；第３レンズ若しくは第３レンズユニットを構成する正レンズのアッベ数
【請求項２】
前記レンズ系において以下の条件式を満足する請求項１に記載の単焦点レンズ。
０．２＜ｄ３ｐ／ｆ３ｐ＜０．７・・・・（５）
ｆ３Ｐ；第３レンズ若しくは第３レンズユニットを構成する正レンズの中心肉厚
【請求項３】
前記レンズ系において以下の条件式を満足する請求項１又は請求項２に記載の単焦点レンズ。
−０．２２＜（Ｒ３１＋Ｒ３２）／（Ｒ３１−Ｒ３２）＜０．１５・・・・（６）
Ｒ３１；第３レンズユニットを構成する正レンズの物体側曲率半径
Ｒ３２；第３レンズユニットを構成する正レンズの像側曲率半径
【請求項４】
前記レンズ系において物体測の曲率がきつい負メニスカスレンズ、物体側が凹面の正メニスカスレンズ、両凸の正レンズ物体側が凹面の負メニスカスレンズの４枚にて構成したことを特徴とする請求項１乃至請求項３の何れか一項に記載の単焦点レンズ。
【請求項５】
前記レンズ系において物体測の曲率がきつい負メニスカスレンズ、物体側が凹面の正メニスカスレンズ、物体側凸面の負メニスカスレンズと両凸を接合した全体として正のレンズユニット物体側が凹面の負メニスカスレンズの５枚にて構成したことを特徴とする請求項１乃至請求項３の何れか一項に記載の単焦点レンズ。
【請求項６】
請求項１乃至請求項５の何れか一項に記載のレンズを搭載する撮像装置。
【発明の詳細な説明】
【技術分野】
【０００１】
本発明は、アクション等に好適な小型で広画角を有する小型なレンズに関し、特に携帯性に優れた光学系に関する。
【背景技術】
【０００２】
近年、電子撮像素子を用いたデジタルスチルカメラ、ビデオカメラ等の、カメラ形態が多様化し広画角かつ小型な光学系を備えた撮像装置が提案されている。更に近年アウトドアスポーツ等の屋外活動を行う際ヘルメットに付けたり自転車に取りつけたりして撮影する動画機能を重視した小型のデジタルカメラであるアクションカム等のジャンルが注目されるようになった。これらのジャンルでは通常ファインダーで撮影される範囲を確認していない状態で撮影を行う為対角方向で１４０度以上の広い画角有する光学系が要望されている。
【０００３】
又、従来から車載カメラ、監視カメラ等のジャンルでは総構成枚数が４〜５枚で広画角を有する光学系が提案されている。また電子撮像素子において、オンチップマイクロレンズ配置の最適化により、センサへの光線入射角許容幅を拡大する技術が知られている。
【０００４】
一方、近年、一般の光学ガラスでは実現できない高い硬度とヤング率とを有し、かつ高屈折率で低分散の光学ガラスが知られている（特許文献３）。この光学ガラスは、無容器凝固法を利用し、酸化アルミニウム（アルミナ（Ａｌ２Ｏ３））を主要な成分とする組成を適切に設定することで高屈折率かつ低分散の光学ガラスを実現している。
【０００５】
特許文献１の各実施例では画角７２°程度の画角を有する単焦点レンズが開示されている。特許文献１に開示されているレンズは、銀歪曲収差を−１０％程度に光学的に補正して比較的歪曲をおさえた光学系となっている。
【０００６】
特許文献２においては１５０°〜１７０°程度の画角を有する開示されている。特許文献２に開示されているレンズは、銀歪曲収差を−５０％程度に積極的に出すことで像高の高い領域である周辺部で画像が縮小され広画角が得られる光学系となっている。
【０００７】
歪曲を大きく許容することにより少枚数で有りながら広画角で良好な結像性能の光学系を得ることが出来る。
【０００８】
又、近年のオンチップマイクロレンズ配置の最適化により、センサへの光線入射角許容幅が拡大しているので、参考文献で開示されている様な像面側のレンズが負レンズを配したセンサ入射角の大きい光学系でもシェーディングをある程度抑えることが可能になった。
【０００９】
これらの光学系においてはＦｎｏ光束を決める絞り或いは光束制限部材の近傍において複数の正レンズを配する構成によりレンズの前側及び後側に負レンズを配し、広画角でありながら中心から周辺まで良好な収差補正を行っている。
【００１０】
これらの光学系では絞り或いは光束制限部材の近傍に配する正レンズに低分散の光学材料を用いることにより軸上色収差、周辺部の色フレアーの補正を行っている。
【００１１】
光学系の仕様を明るいＦｎｏを確保した場合、正レンズの径がある程度必要になる為、コバを確保する為レンズの中心肉厚を大きくする必要がある為、光学系全体が大型化する傾向があった。
【００１２】
一般に光学ガラスは、屈折率を縦軸に上方向が大きな値となるように、アッベ数を横軸に左方向に大きな値となるように取ったグラフ（以下「ｎｄ−νｄ図」）上にマッピングさせると、ほぼいくつかの直線に沿って分布することが知られている。
【００１３】
また一般に光学ガラスの屈折率が大きくなると、アッベ数は小さくなり、分散が大きくなる特性がある。
【００１４】
一方特許文献３では、無容器凝固法を利用した製法により屈折率とアッベ数の関係が、前述のｎｄ−νｄ図において通常の光学ガラスとは異なる領域に存在する光学ガラスが開示されている。
【００１５】
これらは一般の光学ガラスに比べ、高い屈折率でありながらアッベ数が大きく低分散な光学ガラスとして知られている。
【００１６】
このような性質を有する光学ガラスを撮像光学系に利用することで、収差補正及び光学系全体の小型化に有利となる。
【００１７】
高い光学性能と小型化を達成するためには、前述の様な硝材や各レンズの屈折力、レンズ構成等を適切に設定することが重要になってくる。
【先行技術文献】
【特許文献】
【００１８】
【特許文献１】特開２００８−１３９８５９号公報
【特許文献２】特開２０１３―７９６８号公報
【特許文献３】ＷＯ２０１０−０７１１４３号公報
【発明の概要】
【発明が解決しようとする課題】
【００１９】
本発明は、高屈折率低分散の硝材を適切に配置することにより諸収差を良好に補正された広画角で小型の光学系およびそれを用いた撮像装置を提供することを目的とする。
【課題を解決するための手段】
【００２０】
上記の目的を達成するために、本発明に係る小型の光学系は、
物体側より負の第１レンズ、正の第２レンズ、正の第３レンズ又は負、正を接合した第３レンズユニット、負の４若しくは５レンズの４乃至５枚構成のレンズにおいて、２枚ある正レンズのうち像側の正レンズに高屈折率低分散の材料を使用すると共に以下の条件式を満足することである。
【００２１】
１．１＜ｆ３Ｐ／ｆ＜１．７・・・・（１）
ｎ３Ｐ＞−０．００７３×ν３Ｐ＋２．１１・・・・（２）
１．５＜ｎ３ｐ＜１．８５・・・・（３）
６５＜ν３Ｐ＜９７・・・・（４）
ｆ３Ｐ；第３レンズ若しくは第３レンズユニットを構成する正レンズの焦点距離
ｆ；全系の焦点距離
ｎ３Ｐ；第３レンズ若しくは第３レンズユニットを構成する正レンズの屈折率
ν３Ｐ；第３レンズ若しくは第３レンズユニットを構成する正レンズのアッベ数
更にベストモードに近づける為には以下に記載された条件を満たすことが望ましい。
【００２２】
前記レンズ系において以下の条件式を満足すること。
【００２３】
０．２＜ｄ３ｐ／ｆ３ｐ＜０．７・・・・（５）
ｆ３Ｐ；第３レンズ若しくは第３レンズユニットを構成する正レンズの中心肉厚
前記レンズ系において以下の条件式を満足すること。
【００２４】
−０．２２＜（Ｒ３１＋Ｒ３２）／（Ｒ３１−Ｒ３２）＜０．１５・・・・（６）
Ｒ３１；第３レンズユニットを構成する正レンズの物体側曲率半径
Ｒ３２；第３レンズユニットを構成する正レンズの像側曲率半径
前記レンズ系において物体測の曲率がきつい負メニスカスレンズ、物体側が凹面の正メニスカスレンズ、両凸の正レンズ、物体側が凹面の負メニスカスレンズの４枚にて構成したこと。
【００２５】
前記レンズ系において物体測の曲率がきつい負メニスカスレンズ、物体側が凹面の正メニスカスレンズ、物体側凸面の負メニスカスレンズと両凸を接合した全体として正のレンズユニット物体側が凹面の負メニスカスレンズの５枚にて構成したこと。
【発明の効果】
【００２６】
本発明によれば、前述の構成により２ω１４０度以上の広画角を有しつつレンズ径、レンズ全長が小型な光学系を提供することが出来る。
【図面の簡単な説明】
【００２７】
【図１】実施例１のレンズ断面図
【図２】実施例２のレンズ断面図
【図３】実施例３のレンズ断面図
【図４】実施例４のレンズ断面図
【図５】実施例１の縦収差図
【図６】実施例２の縦収差図
【図７】実施例３の縦収差図
【図８】実施例４の縦収差図
【発明を実施するための形態】
【００２８】
以下、本発明を実施するための形態について、図面を参照しながら説明する。
【００２９】
本発明においては、物体側より負の第１レンズ、正の第２レンズ、正の第３レンズ又は負、正を接合した第３レンズユニット、負の４若しくは５レンズの４乃至５枚構成のレンズにて構成される。２枚ある正レンズのうち像側の正レンズに高屈折率低分散の材料を使用すると共に以下の条件式を満足する構成としている。
【００３０】
１．１＜ｆ３Ｐ／ｆ＜１．７・・・・（１）
ｎ３Ｐ＞−０．００７３×ν３Ｐ＋２．１１・・・・（２）
１．５＜ｎ３ｐ＜１．８５・・・・（３）
６５＜ν３Ｐ＜９７・・・・（４）
ｆ３Ｐ；第３レンズ若しくは第３レンズユニットを構成する正レンズの焦点距離
ｆ；全系の焦点距離
ｎ３Ｐ；第３レンズ若しくは第３レンズユニットを構成する正レンズの屈折率
ν３Ｐ；第３レンズ若しくは第３レンズユニットを構成する正レンズのアッベ数
第１レンズと最終レンズに負レンズを配し、間に複数の正レンズを配する構成とすることにより広画角と良好な収差補正を両立している。
【００３１】
正レンズの近傍に絞り等の中心Ｆｎｏを決める光束制限部材を配するが、物体側の負レンズは物体側に凹面を向けたメニスカス形状とすることで負の歪曲を発生させ  周辺部の画角を確保している。
【００３２】
このため物体側の正レンズのパワーはそれ程強く出来ない為、像側に配される正レンズを強い両凸形状のレンズとして強いパワーを持たせることにより全系の焦点距離を適切に設定している。
【００３３】
該像側の正レンズは低分散のレンズを用いることにより軸上色収差及び、周辺部の色フレアーを補正している。
【００３４】
このレンズは前述の如く（１）の条件式を満足する様に強いパワー持ちつつ（２）〜（４）の条件を満たす材料を用いている。
【００３５】
低分散でありながら高屈折率の材料を用いることにより強いパワーを保ちつつ、両レンズ面の曲率半径を大きくすることが出来る。即ち、曲率半径を大きくすることにより（５）式を満足する様にレンズ厚を薄くすることが出来る。これにより一定のコバ条件を満足しつつ正レンズのレンズ厚を薄くすることが出来る。
【００３６】
この主たる結像を担う正レンズを薄くすることによりレンズ全長、前玉径、後玉径を小さくすることが出来る為、全系の小型化を行うことが出来る。
【００３７】
又前述の高屈折低分散の材料により第３レンズの曲率半径を緩くすることが出来るが、強いパワーを維持しつつ良好な収差補正を行う条件として（６）式を満たす両凸レンズ形状を設定している。
【００３８】
このレンズは被写界深度が深い為必ずしもフォーカシングを行わない場合もあるが、フォーカシングを行う場合にはレンズ系全体を物体側へ繰り出すことによりフォーカシングを行う。
【００３９】
また手ぶれの光学的補正を行う場合はレンズのノーダルポイント付近を中心に回転させることにより補正を行うことが出来る。
【００４０】
レンズを回転させる機構はメカ機構が複雑で有る為、メカ機構の簡略化を行う場合はレンズ系全体のシフト若しくはセンサ面のシフトでも手ぶれ補正を行うことが出来る。
【００４１】
次に各条件式の意味について説明する。
【００４２】
（１）式は第３レンズ３レンズユニットを構成する正レンズの焦点距離を全系の焦点距離で規格化したもので、第３レンズの焦点距離を適切に設定する為の条件である。（１）式の上限値を超えて第３レンズ３レンズユニットを構成する正レンズの焦点距離が短くなりすぎるとコバを確保する為  第３レンズの中心肉厚を厚くする必要がありレンズ系全体が大型化してくるので良くない。（１）式の下限値を超えて３群の焦点距離が長くなりすぎると軸上色収差を良好に補正出来ず周辺部でも色フレアーが増大してくるので良くない。
【００４３】
（２）式は第３レンズユニット中の正レンズの屈折率とアッベ数の関係を表した式で、第（２）式の下限値を超えると軸上色収差の補正が困難となるか、補正出来る解ではレンズ厚が増大し、レンズ系全体が大型化してくるので良くない。
【００４４】
（３）式は第３レンズユニット中の正レンズを構成するレンズの屈折率に関するもので、（３）式の上限値を超えて屈折率が高くなり過ぎると所望のアッベ数の範囲で材料の製造が困難となってくる。（３）式の下限値を超えて屈折率が低くなり過ぎると第３レンズの中心肉厚が厚くなりレンズ系全体が大型化してくるので良くない。
【００４５】
（４）レンズユニット中の正レンズを構成するレンズのアッベ数に関するもので、（４）式の上限値を超えてアッベ数が大きくなり過ぎると所望の屈折率の範囲で材料の製造が困難となってくる。（４）式の下限値を超えてアッベ数が小さくなり過ぎると軸上色収差を良好に補正することが困難となってくる。
【００４６】
（５）式は第３レンズユニット中の正レンズを構成するレンズの肉厚を同レンズの焦点距離で規格化したもので、同レンズの薄型化する為の条件である。（５）式の上限値を超えて第３レンズユニット中の正レンズを構成するレンズの肉厚が大きくなり過ぎるとレンズ系全体が大型化してくるので良くない。（５）式の下限値を超えて第３レンズユニット中の正レンズを構成するレンズの肉厚が薄くなり過ぎると、コバ厚を確保するのが難しくなり、レンズの製造が困難となってくる。
【００４７】
（６）式は第３レンズユニット中の正レンズを構成するレンズの物体側の曲率半径と像側の曲率半径の和と差の積をとったシェープファクターに関するものである。（６）式の上限値を超えて像側の曲率がきつくなると画面周辺部におけるコマフレアーを良好に補正することが困難となってくる。（６）式の下限値を超えて物体側の曲率がきつくなりすぎると中心部の球面収差を良好に補正することが困難となってくる。
【００４８】
本発明の目的をより最良に近づける為には以下の条件を満足すると更に良い。
【００４９】
１．３＜ｆ３Ｐ／ｆ＜１．６・・・・（１ｄ）
ｎ３Ｐ＞−０．００７３×ν３Ｐ＋２．１３・・・・（２ｄ）
１．５１＜ｎ３ｐ＜１．８２・・・・（３ｄ）
６７＜ν３Ｐ＜９６・・・・（４ｄ）
０．４＜ｄ３ｐ／ｆ３ｐ＜０．５７・・・・（５ｄ）
−０．２０＜（Ｒ３１＋Ｒ３２）／（Ｒ３１−Ｒ３２）＜０．１２・・・・（６ｄ）
次に、各実施例の数値データを示す。各実施例の数値データにおいて、ｒは曲率半径、ｄは光軸上の面間隔、ｎｄ、νｄは光学材料のｄ線に対する屈折率、アッベ数を表している。
【００５０】
また、非球面形状は、Ｘを光軸方向の面頂点からの変異量、ｈを光軸と垂直な方向の光軸からの高さ、ｒを近軸曲率半径、Ｋを円錐定数、Ａ２、Ａ４、Ａ６、・・・を各次数の非球面形状としたとき、次式によって表される。
【００５１】
【数１】
2018189867.tif 000003
【００５２】
なお、各係数における「Ｅ±ＹＹ」は「×１０±ＹＹ」を意味している。
【００５３】
また、各実施例における各条件式の値を表１に示す。
〔数値実施例１〕 
単位 mm
面データ
面番号       r        d      nd         vd
1*         6.924    0.50   1.85135    40.1           
2*         2.380    1.95                             
3(絞り)    ∞       0.25                             
4*        -2.905    1.50   1.49710    81.6           
5*        -1.450    0.10                             
6          ∞       0.00                             
7          2.849    1.39   1.55000    95.0           
8*        -3.413    0.85                             
9         -1.888    0.40   1.95906    17.5           
10         -6.502    0.42                             
11          ∞       0.61   1.51633    64.1           
12          ∞                                 
像面        ∞   
非球面データ
第1面
K = 0.00000e+000  A 4=-3.64977e-003  
第2面
K = 0.00000e+000  A 4=-1.44369e-003  A 6= 1.92913e-003  A 8=-3.12240e-004  
第4面
K = 0.00000e+000  A 4=-1.10313e-001  A 6=-6.02119e-002  
第5面
K =-4.98548e-001  A 4=-6.85305e-003  A 6=-1.40013e-002  A 8= 6.48253e-003  
第8面
K = 0.00000e+000  A 4=-1.82686e-002  A 6= 2.66005e-003  
各種データ
ズーム比      1.00 
焦点距離       1.97  
Fナンバー      2.88  
画角          44.45  
像高           1.94  
レンズ全長     8.23  
BF             1.30  
d12            0.47  
ズームレンズ群データ
群  始面    焦点距離  
1    1       1.97  
〔数値実施例２〕 
単位 mm
面データ
面番号       r        d      nd         vd
1         23.966    0.50   1.85135    40.1           
2*         3.232    2.29                             
3(絞り)    ∞       0.25                             
4*        -4.913    1.40   1.49710    81.6           
5*        -1.650    0.10                             
6          ∞       0.00                             
7          4.562    0.40   1.80518    25.4           
8          3.192    1.31   1.80000    70.0           
9*        -4.493    0.98                             
10         -1.856    0.40   1.95906    17.5           
11         -6.657    0.18                             
12          ∞       0.61   1.51633    64.1           
13          ∞                              
像面        ∞   
非球面データ
第2面
K = 0.00000e+000  A 4= 2.98772e-003  A 6= 3.67969e-004  A 8= 2.76462e-004  
第4面
K = 1.41871e+001  A 4=-8.48830e-002  A 6=-4.93878e-002  
第5面
K =-2.99232e-001  A 4=-1.53948e-002  A 6=-1.22879e-002  A 8= 1.93070e-003  
第9面
K = 0.00000e+000  A 4=-3.85504e-003  A 6=-2.03852e-003  
各種データ
ズーム比      1.00 
焦点距離       1.90  
Fナンバー      2.83  
画角          45.57  
像高           1.94  
レンズ全長     8.66  
BF             1.04  
d13            0.45  
ズームレンズ群データ
群  始面    焦点距離  
1    1       1.90  
〔数値実施例３〕 
単位 mm
面データ
面番号       r        d      nd         vd
1*        12.066    0.50   1.90000    40.0           
2*         2.580    1.78                             
3(絞り)    ∞       0.25                             
4*        -3.062    1.60   1.49710    81.6           
5*        -1.650    0.10                             
6          ∞       0.00                             
7          2.712    1.47   1.51600    85.0           
8*        -2.376    0.92                             
9         -1.884    0.40   1.95906    17.5           
10         -7.697    0.48                             
11          ∞       0.61   1.51633    64.1           
12          ∞                                  
像面        ∞   
非球面データ
第1面
K = 0.00000e+000  A 4=-1.66088e-003  
第2面
K = 0.00000e+000  A 4= 2.91835e-003  A 6= 5.72305e-004  A 8= 3.78143e-005  
第4面
K = 0.00000e+000  A 4=-8.70316e-002  A 6=-5.05540e-002  
第5面
K =-6.15487e-001  A 4=-3.89390e-003  A 6=-9.25080e-003  A 8= 7.04065e-003  
第8面
K = 0.00000e+000  A 4=-1.25081e-003  A 6= 4.81577e-003  
各種データ
ズーム比      1.00 
焦点距離       1.90  
Fナンバー      2.88  
画角          45.48  
像高           1.94  
レンズ全長     8.37  
BF             1.36  
d12            0.47  
ズームレンズ群データ
群  始面    焦点距離  
1    1       1.90  
〔数値実施例４〕 
単位 mm
面データ
面番号       r        d      nd         vd
1         25.762    0.50   1.85135    40.1           
2*         2.697    1.97                             
3(絞り)    ∞       0.25                             
4*        -5.285    1.57   1.49710    81.6           
5*        -1.650    0.10                             
6          ∞       0.00                             
7          3.661    0.40   1.80809    22.8           
8          2.595    1.47   1.68000    68.0           
9*        -3.843    0.95                             
10         -1.856    0.40   1.95906    17.5           
11         -6.657                             
12          ∞       0.61   1.51633    64.1           
13          ∞                                  
像面        ∞   
非球面データ
第2面
K = 0.00000e+000  A 4= 1.68792e-003  A 6= 1.95515e-003  A 8= 9.22745e-005  
第4面
K = 5.80537e+000  A 4=-8.51595e-002  A 6=-3.22673e-002  
第5面
K =-6.78745e-001  A 4=-1.68438e-002  A 6=-1.25380e-002  A 8= 2.91562e-003  
第9面
K = 0.00000e+000  A 4=-5.03084e-003  A 6=-1.05016e-003  
各種データ
ズーム比      1.00 
焦点距離       1.85  
Fナンバー      2.88  
画角          46.32  
像高           1.94  
レンズ全長     8.66  
BF             1.05  
d11            0.19  
d13            0.45  
【実施例】
【００５４】
以下に、本発明の好ましい実施の形態を、添付の図面に基づいて詳細に説明する。図１及び図５は実施例１のレンズ断面図と縦収差図、図２及び図６は実施例２のレンズ断面図と縦収差図、図３及び図７は実施例３のレンズ断面図と縦収差図、図４及び図８は実施例４のレンズ断面図と縦収差図である。収差図中、ｄはｄ線、ｇはｇ線、△Ｍはメリディオナル像面である。
【００５５】
図１を参照して、本発明における第１の実施例の構成について説明する。数値実施例１、３にいては物体側より負、正、正、負の４枚からなる構成としている。第１レンズは物体側へ凸面を向けたメニスカス状の負レンズ、第２レンズは物体側へ凹面を向けたメニスカス状の正レンズ、第３レンズは両凸レンズ、第４レンズは像面側が凸面のメニスカス状の負レンズの４枚にて構成される。
【００５６】
第２レンズの物体側面の有効径外の平面部に沿う形でＦｎｏ光束を決める光速制限部材を配する。第２レンズと第３レンズの間に周辺光束の上線フレアーを抑制するフレアカット絞りを配する構成としている。
【００５７】
数値実施例２、４にいては物体側より負、正、負、正、負の５枚からなる構成としている。第１レンズは物体側へ凸面を向けたメニスカス状の負レンズ、第２レンズは物体側へ凹面を向けたメニスカス状の正レンズ、第３レンズは物体側へ凸面を向けたメニスカス状の負レンズで構成する。
【００５８】
第４レンズは両凸レンズ、第５レンズは像面側が凸面のメニスカス状の負レンズの５枚にて構成される。第３レンズと第４レンズは接合され第３レンズユニットを構成する。即ちこの場合第５レンズは第４レンズユニットとなる。
【００５９】
数値実施例１〜４においては第２レンズの物体側面の有効径外の平面部に沿う形でＦｎｏ光束を決める光速制限部材を配する。第２レンズと第３レンズユニットの間に周辺光束の上線フレアーを抑制するフレアカット絞りを配する構成としている。広角端のＦｎｏがＦ２．８８と広画角でありながら明るいＦｎｏとしている。
【００６０】
本発明の実施例１〜４の第３レンズユニット中の正レンズには条件式（２）〜（４）を満たす特性の低分散で屈折率が高い材料が使用されている。この材料は従来からの製法である坩堝で材料を溶融して凝固させる製法で作られた低分散系の硝子材料よりも屈折率の高い材料を使用している。これらの材料は気体を噴出させるなどの方法で材料を浮遊させ凝固させる製法等によって生成することが出来る材料である。
【００６１】
以上、本発明の好ましい実施形態について説明したが、本発明はこれらの実施形態に限定されず、その要旨の範囲内で種々の変形及び変更が可能である。
【００６２】
【表１】
2018189867.tif 000004
【００６３】
本発明はデジタルスチルカメラ、アクションカム等に好適な小型で広画角のレンズを搭載した撮像装置に関し、広画角を有しつつ携帯性に優れたレンズに関するものである。
【符号の説明】
【００６４】
ｄ：ｄ線、ｇ：ｇ線、△Ｍ：メリディオナル像面
【図１】
2018189867.tif 000005
【図２】
2018189867.tif 000006
【図３】
2018189867.tif 000007
【図４】
2018189867.tif 000008
【図５】
2018189867.tif 000009
【図６】
2018189867.tif 000010
【図７】
2018189867.tif 000011
【図８】
2018189867.tif 000012